(57)【要約】      （修正有）【課題】この考案が解決しようとする課題は、防煙垂壁の取付工事において、作業性がよく合理的で、見た目に体裁のよい簡易防煙垂壁を提供する。【解決手段】帯状の平板１ａと、空隙部Ｙを有するシート固定用管１ｂの上壁面１ｄとを、面一、且つ一体成形したバー本体を設け、前記帯状の平板１ａと、シート固定用管１ｂの内縦壁面１ｃとの角度αは、直角に形成し、前記内縦壁面１ｃには、防煙シート２を介して、固定用平板３を設け、該固定用平板３と防煙シート２とを、ビスＺにて前記シート固定用管１ｂに固定することを特徴とする。【選択図】図１
0003197758.tif 000002
【実用新案登録請求の範囲】
【請求項１】
帯状の平板（１ａ）と、シート固定用管（１ｂ）の上壁面（１ｄ）とを、面一、且つ一体成形したバー本体（１）を設け、
前記帯状の平板（１ａ）と、シート固定用管（１ｂ）の内縦壁面（１ｃ）との角度（α）は、直角に形成し、
前記内縦壁面（１ｃ）には、防煙シート（２）を介して、固定用平板（３）を設け、
該固定用平板（３）と防煙シート（２）とを、ビス（Ｚ）にて前記シート固定用管（１ｂ）に固定する
ことを特徴とする作業性がよく合理的な簡易防煙垂壁。
【請求項２】
前記シート固定用管（１ｂ）の上壁面（１ｄ）と内縦壁面（１ｃ）とが、直角であり、他の二辺は外縦壁面（１ｃ′）が、外方に向かって膨出した形状である
こと特徴とする請求項１記載の作業性がよく合理的な簡易防煙垂壁。
【請求項３】
前記固定用平板（３）の一端にリブ（３ａ）を設けた
こと特徴とする請求項１記載の作業性がよく合理的な簡易防煙垂壁。
【考案の詳細な説明】
【技術分野】
【０００１】
この考案は、作業性がよく合理的な簡易防煙垂壁に関するものである。
【背景技術】
【０００２】
従来、ビルや大型店舗等の火災の際に、天井面に発生する煙を妨げ、煙の移動を防止することにより、犠牲者を出さないために、建築基準法の改正になり、延べ面積や階数が所定以上の建築物には防煙垂壁を不燃材料で設けることが義務付けられ、多数の仕切り垂れ壁（防煙垂壁ともいう）が設けられている。
【０００３】
そして、当初、垂壁の部分はガラス板が吊り下げて設けられていたが、地震等により、ガラス板が割れて落下し、垂壁の下を通る通行人等が思わぬ怪我をすることが多く、最近では、ガラス板に代わり、不燃性のシート材が設けられるようになった。例えば、特許文献１のように。
【先行技術文献】
【特許文献】
【０００４】
【特許文献１】特開２００７−１１７４７１号公報
【０００５】
また、従来の施工方法は、図３に示すように、断面がＬ字状のバー本体（４）を皿ビス（Ｚ′）で天井材（Ｘ）に固定し、該Ｌ字状のバー本体（４）に、同じく断面がＬ字状の固定部材（５）を、防煙シート（２）を挟んでバー本体（４）にボルト（Ｚ″）で締めつけ固定していた。
【０００６】
しかし、ボルト（Ｚ″）では、バー本体（４）より突出したネジ部分をナットで締めつけ固定しなければならず、作業が複雑となり、しかも、見た目に極めて体裁の悪いものであった。
【考案の概要】
【考案が解決しようとする課題】
【０００７】
そこで、この考案が解決しようとする課題は、防煙垂壁の取付工事が簡単で作業性がよく、見た目に体裁もよく、作業性がよく合理的な簡易防煙垂壁を開発・提供することにある。
【課題を解決するための手段】
【０００８】
この考案の作業性がよく合理的な簡易防煙垂壁は、
帯状の平板と、シート固定用管の上壁面とを、面一、且つ一体成形したバー本体を設け、
前記帯状の平板と、シート固定用管の内縦壁面との角度は、直角に形成し、
前記内縦壁面には、防煙シートを介して、固定用平板を設け、
該固定用平板と防煙シートとを、ビスにて前記シート固定用管に固定する
ことを特徴とする。
【０００９】
そして、
前記シート固定用管の外縦壁面が、外方に向かって膨出した形状である
こと特徴とする。
【００１０】
前記固定用平板（３）の一端にリブを設けた
こと特徴とする。
【考案の効果】
【００１１】
この考案によると、天井材（Ｘ）に固定するバー本体（１）が、帯状の平板（１ａ）と、空隙部（Ｙ）を有するシート固定用管（１ｂ）の上壁面（１ｄ）とで、面一、且つ一体成形されているため、天井材（Ｘ）と、バー本体（１）、そしてシート固定用管（１ｂ）の上壁面（１ｄ）が面一となり、火災時に発生した煙の移動を阻止できる等の効果を有する。
【００１２】
さらに、ビス（Ｚ）を使用しても該ビスの先端部は、シート固定用管（１ｂ）の空隙部（Ｙ）内に位置するため、外部に露出せず、見た目に美麗であり、また、従来例のようにボルトを使用しないため、ナットを螺着する手間が不要であり、作業が簡易で行なえる等の極めて有益なる効果を奏する。
【００１３】
さらに、従来例とは異なり、同一の種類のビス（Ｚ）を用いて、天井面（Ｘ）および固定用平板（３）を介して防煙シート（２）をシート固定用管（１ｂ）への固定することが出来、施工面でもビス等の管理や作業が容易に行なえる等の効果を奏する。
【図面の簡単な説明】
【００１４】
【図１】この考案の一実施例を示す一部欠截断面図である。
【図２】この考案の他の実施例を示す一部欠截断面図である。
【図３】従来例を示す一部欠截断面図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の一実施例を図１に基づいて詳述すると、帯状の平板（１ａ）と、空隙部（Ｙ）を有するシート固定用管（１ｂ）の上壁面（１ｄ）とを、面一、且つ一体成形したバー本体（１）を設け、前記帯状の平板（１ａ）と、シート固定用管（１ｂ）の内縦壁面（１ｃ）との角度（α）は、直角に形成し、前記内縦壁面（１ｃ）には、防煙シート（２）を介して、固定用平板（３）を設け、該固定用平板（３）と防煙シート（２）とを、ビス（Ｚ）にて前記シート固定用管（１ｂ）に固定することを特徴とする作業性がよく合理的な簡易防煙垂壁より構成されるものである。
【００１７】
さらに、図２に示すように、前記シート固定用管（１ｂ）の一実施例を示しており、該シート固定用管（１ｂ）の外縦壁面（１ｃ′）が、膨出した形状のものを示しているが、この考案の目的であるビス（Ｚ）の先端部が管の外部に露出しなければよい。従って、シート固定用管（１ｂ）は、管であればよく、該管の断面形状は特に限定はしない。
【００１８】
また、固定用平板（３）は、単に長尺の板であるが、該平板の長手方向の一端部を折り曲げリブ（３ａ）を設ければ堅牢になり、運搬や施工の際便利である。
【００１９】
また、シート固定用管（１ｂ）の外部形状により、美的に優れた簡易防煙垂壁となり、また、使用するビス（Ｚ）の長さ寸法において、選択の幅が広くなるものである。
【００２０】
また、バー本体（１）のシート固定用管（１ｂ）には、前記固定用平板（３）で防煙シート（２）をビス（Ｚ）にて固定するものであるが、先ず、シート固定用管（１ｂ）に接着剤で防煙シート（２）を固定して、さらに、ビス（Ｚ）で前記固定用平板（３）に固定すればより、煙の移動が完全に阻止できる。
【００２１】
尚、防煙シート（２）とは、不燃シートとも呼ばれるものである。
【産業上の利用可能性】
【００２２】
この考案の作業性のよい合理的な簡易防煙垂壁の技術を確立し、実施することにより、産業上利用できるものである。
【符号の説明】
【００２３】
１  バー本体
１ａ  帯状の平板
１ｂ  シート用固定用管
１ｃ  内縦壁面
１ｃ′外縦壁面
２  防煙シート
３  固定用平板
３ａ  リブ
４  Ｌ字状のバー本体
５  Ｌ字状の固定部材
Ｘ  天井材
Ｙ  空隙部
Ｚ  ビス
Ｚ′皿ビス
Ｚ″ボルト
【図１】
0003197758.tif 000003
【図２】
0003197758.tif 000004
【図３】
0003197758.tif 000005